【事件の表示】
　特願２００３−５４９０８９「デジタル画像を布にインクジェット印刷するための方法、該方法を実施するためのシステムおよび装置、ならびに該方法を使用して該システムおよび方法により製造される製品」拒絶査定不服審判事件〔平成１５年　６月１２日国際公開、ＷＯ０３／４７８６６、平成１７年　４月２８日国内公表、特表２００５−５１１３５０〕について、次のとおり審決する。
【結　論】
　本件審判の請求は、成り立たない。
【理　由】
　
１　手続の経緯・本願発明
（１）手続の経緯
 　本願は、２００２年１１月２２日（パリ条約による優先権主張、外国庁受理２００１年１２月３日、米国）を国際出願日とする出願であって、平成１６年７月２９日付けで翻訳文が提出され、平成１６年８月３日付けで手続補正がなされ、平成２１年１２月９日付けで誤訳訂正書が提出され、平成２２年３月１２日付けで拒絶査定がなされ、これに対して、同年７月１６日付けで拒絶査定不服審判が請求され、当審において、平成２３年６月１０日付けで拒絶の理由（以下「当審拒絶理由」という。）が通知され、これに対して同年１２月１４日付けで手続補正がなされたものである。 
　
（２）本願発明
　本願の請求項１ないし２５に係る発明は、平成２３年１２月１４日付け手続補正によって補正された特許請求の範囲の請求項１ないし４に記載された事項により特定されるものであるところ、請求項１に係る発明（以下「本願発明」という。）は、平成２３年１２月１４日付け手続補正によって補正された特許請求の範囲、明細書及び図面の記載からみて、その特許請求の範囲の請求項１に記載されたとおりの次のものと認める。
　
「複数の画素を有するデジタル画像を提供する工程と、
　前記デジタル画像に対応付けられた複数のインクを選択して、ユーザ定義インクセットを作る工程と、
　前記ユーザ定義インクセットに対してユーザ定義較正からインクセットプロファイルを作成する工程と、
　CIE lab、CIE xyz、CIE luv、CIE xyY、CIE uvY、またはCMYK色空間変換なしで、前記複数の画素の各々の色度および濃淡値を決める工程と、
　前記インクセットプロファイルの関数として前記色度および濃淡値に対応するインク量を求める工程と、
　前記インクの選択量を、ドットとして布に印刷する工程とを含む、布にカラー印刷するための方法であって、
　前記ユーザ定義較正の少なくとも１つは、クベルカ-ムンク方程式の関数であることを特徴とする方法。」
　
２　刊行物の記載事項
　本願の優先日前に頒布され、当審拒絶理由に引用された特開２０００−１５８７８８号公報（以下「引用例」という。）」には、図とともに次の事項が記載されている（下線は審決で付した。以下同じ。）。
　
（１）「【０００１】
【発明の属する技術分野】本発明は、郵便切手等の
有価証券、
美術印刷、印刷色の限定された衣料
等
の図柄（模様）において、画像が鮮鋭で安定性が高く、発色の良い多色印刷用のカラー画像の作製方法に関する
　
（２）「【０００２】
【
従来
カラー画像を効率よく再現する手法としてカラーマネジメント・システム（以下ＣＭＳと称する）
ＣＭＳではプロセス印刷に適用すべく、印刷機、汎用カラープリンター等、様々な出力機器において、プロセス印刷の原色であるＣＭＹＫ（イエロー、マゼンタ、シアン、ブラック）色用画像を、各出力機器に適した色補正を行っている
【０００３】前記したように、印刷物に色表現する色はプロセス印刷が多いので、ＣＭＳは基本的にプロセス印刷用に使われることが殆どである。しかし、プロセス印刷はＣＭＹＫ色を用いることで、ＣＭＹＫ色が発色できる色表現領域を越えることができない。実際にはＣＭＹＫ色が表現できる色は人間の可視領域に対して半分にも満たない。そこで、最近ではＣＭＳを用いて前記発色の問題を解決しようとしている。即ち、
ＣＭＳでは色版用画像データに色空間圧縮（gamut mapping）を施すことによって、ＣＭＹＫ色の色表現領域外の色を、ＣＭＹＫ色の色表現領域内に圧縮できる。従って、ＣＭＹＫ色の色表現領域外の色は色空間圧縮によってＣＭＹＫ色で表現し得る近似色として表現している
【０００４】前記プロセス印刷の利点は、天然の色を全て近似色として表現できることであるが、
プロセス印刷で表現し得る色があくまでも近似色なので、印刷及び製品従事者もしくはデザイナーが意図していない色で表現されるといった問題点がある
前記問題点を解決する方法として、７色印刷（HiFi color）
シアン、マゼンタ、イエロー、ブラックの他、レッド（Ｒ）、グリーン（Ｇ）、ブルー（Ｂ）といったＣＭＹＫ色の中間色による高彩度色インキを用いて印刷することで、ＣＭＹＫ色では得ることができない彩度の高い印刷物が作製可能で
シアン、マゼンタ、イエロー、ブラック、の他、オレンジ（Ｒ）、グリーン（Ｇ）を使った６色印刷
【０００５】しかし、
前記した７色印刷及び６色印刷に示す方法は、各々の方法で原色（基本色）が定められており、各々の方法について原色以外
の印刷色を用いることはできない
画像の鮮鋭度が印刷色版の刷り合わせ精度に依存し
印刷色が多くなるにつれ全印刷色版の刷り合わせ位置がずれる要因が増え、高い位置精度を持って合成することが困難になるため、刷り重ねるにつれ鮮鋭度が劣化する確率が高くなるという欠点がある
【０００６】前記した鮮鋭度が劣化する欠点を防止する方法は、印刷色数を減らす事である。例えば、「茶色」という色で形成されている原画像を印刷物で表現する場合、プロセス印刷ではＣＭＹＫ色のうちシアン、マゼンタ、イエロー、の３色か、あるいはマゼンタ、イエロー、ブラックの３色か、あるいはシアン、マゼンタ、イエロー、ブラックの４色全てを用いるか何れかの色合成方法によって表現することになるが、当然、各印刷色の刷り合わせ位置がずれる要因が増え、高い位置精度を持って合成することが困難となる。そこで、「茶色」そのものを１色の印刷色として原画像を印刷物で表現した場合、印刷物中に用いている印刷色は１色のみであるから、刷り合わせ位置がずれる要因は皆無となり、鮮鋭度が劣化することはない。また、１色で原画の調子が表現しきれない場合にはもう１色あるいは２色を加えてもよい。即ち、
原色以外の固有の色（specific color）である特色を使用することによって、印刷物上における合成印刷色数を抑え
鮮鋭度の維持において前記プロセス印刷と差別化を図るには、使用する印刷色は少なくとも３色が限度である
特色を用いた場合、前記プロセス印刷を含め７色印刷及び６色印刷のような原色印刷と比べ、特色からなる固有の色を表現するのには優れているものの、色表現領域は狭いという欠点がある
色表現領域を拡大するためには特色の印刷色版を増やさざるを得ない
【０００７】他に特色を使ったカラー画像の生成方法としては、「特色分解画像処理システムによって、特色の重なりの多い原稿に対しては、特色分解前にある程度のグレー成分を含むブラック成分をあらかじめ除いておき、残った有彩色３成分から成る画像データについて、特色分解画像処理を行い、特色分解したものに前記グレー成分を含むブラック成分を加える方法で特色製版を行うことができる。また、あらかじめ除いておくブラック成分は必ずしも完全なブラック成分だけでなく、原稿の色調に応じて、有彩色成分を含むブラック成分は必ずしも完全なブラックだけでなく、原稿の色調に応じて、有彩色成分を含むブラック例えば青味ブラックや赤みブラックを使用することにより、特色印刷の長所を強調することもできる製版方法及びその印刷物」（特願平９−２７１９４４号）を本願出願人らが既に出願している。しかし、前記製版方法及びその印刷物ではブラック（黒色）成分を用いることが必須であることから、特色の選出において制約が設けられる。また前述のように、鮮鋭度の維持においてプロセス印刷と差別化を図るには、使用する印刷色は少なくとも３色が限度であるが、前記製版方法及びその印刷物で色表現領域を拡大するためには特色の印刷色版を増やさざるを得ない。
【０００８】従って、印刷色が多くても鮮鋭度の高い画像を形成できる特色によるカラー画像の作成方法が望まれていた。」
　
（３）「【０００９】
【発明が解決しようとする課題】本発明は上述の点に鑑みなされたもので、
印刷色に特色を含む多色印刷物において色表現領域が広く、且つ鮮鋭度の高いカラー画像の作成方法及びその印刷物を提供することを目的とする
　
（４）「【００２１】
【実施例】まず、本発明者らはカラー画像生成に用いる方法として、印刷色に特色を含む多色印刷物専用のＣＭＳの構築を図った。更にＣＭＳによる色変換で色分解した複数の画像を合成することで色表現領域を拡大し、且つ画像の鮮鋭度を高めることができるカラー画像を生成する方法及び印刷物について説明する。
【００２２】（実施例１）本実施例では、本発明のカラー画像を生成する装置の概要を簡単に説明する。本発明のカラー画像は、少なくとも３つ以上のＣＭＳで得た色変換テーブル（プロファイル）を用いることが必須である。色変換テーブル（プロファイル）とは印刷物やＣＲＴモニター等各種出力機で、デジタルカラー画像を最もそれにふさわしく出力（印刷、表示）させるためのデジタル画像用の色数値変換用演算子である。本発明では特色も対象としたＣＭＳを構築したものである。本発明のＣＭＳは図１に示す画像処理アルゴリズムように特色を網羅することによって、プロセス色では得られない発色の高い色表現にも即応できるようになっている。本発明のＣＭＳシステムは画像入力系ＣＭＳ、画像表示系ＣＭＳ、画像出力系ＣＭＳの少なくとも３つ以上のＣＭＳから成るＣＭＳ機能グループとなっている。
【００２３】
画像入力系ＣＭＳは、光学式画像入力装置（ドラム・スキャナ、フラットベット・スキャナ等）の個体ごとに色再現特性を予め計測し、計測した濃度値（gray level）と規定の濃度値（gray level）との誤差を補正する色変換テーブルａ（プロファイル）を作成することによって、光学式画像入力装置で撮り込んだ画像の色再現用の濃度値（gray level）が、規定の濃度値（gray level）になるように前記色変換テーブルを用いて、カラー画像を調整する機能を奏している
【００２４】
画像表示系ＣＭＳは、ＣＲＴモニターディスプレイにおいて個体ごとに色再現特性を予め計測し、計測した色表値と適正な色表値との誤差を補正する色変換テーブルｂ（プロファイル）を作成することによって、 ＣＲＴモニターディスプレイで表示したカラー画像が、適正な色表値（例えば照明光が色温度５０００Ｋ℃で観察したときに得られる色表値）になるように前記色変換テーブルを用いて、表示を調整する機能を奏している
【００２５】
画像出力系ＣＭＳは、印刷物、プリンタ、プルーファ等各種特色を含む印刷色の出力物の個体ごとに色再現特性を予め計測し、計測した出力濃度（網点面積率、濃度値）と実際のカラー画像が有する出力濃度（網点面積率、濃度値）との誤差を補正する色変換テーブルｃ（プロファイル）を作成することによって、前記出力物で表現する出力濃度（網点面積率、濃度値）が、前記出力物の個体ごとに適した出力濃度（網点面積率、濃度値）になるように前記色変換テーブルを用いて、カラー画像を調整する機能を奏している
【００２６】更に、
印刷色版用編集部として、前記のＣＭＳで得たカラー画像を任意の印刷色数に従って、部分画像を切り抜き合成し、任意の印刷色数に適する色版用画像を作成する機能を奏している
【００２７】更に、デジタルデータからなる各種情報をネットワークによって共有が図られている。」
　
（５）「【００３１】（実施例３）本実施例では、具体的な例を用いて本発明のカラー画像の生成方法を説明する。図４は原稿（１）を示したものである。
通常のカラー印刷では、原稿（１）をシアン色、マゼンタ色、イエロー色、ブラック色（以下ＣＭＹＫと称す）の４色に色分解するのが一般的であるが、ここでは肌色、黄色、赤色、青色、黒色の５色の特色で色分解することとし
【００３２】
先ず、
原稿（１）をフラットベット・スキャナ（２）で入力する
画像入力系ＣＭＳで得た色変換テーブルａ（プロファイル）で、入力条件の最適化が図られている
【００３３】
次に、
画像表示系ＣＭＳで得た色変換テーブルｂ（プロファイル）で、表示を最適化したＣＲＴモニター（４）よって前記入力した原稿（１）の色表示画像（５）を得、原稿（１）を参照しながら目視で色調整してＲＧＢ画像を作成する
【００３４】
次に、
原稿（１）の特色用分解画像を作成する前に、原稿（１）の中に使用する色の組み合わせを予め決定し
例えば部分画像（７）は主に「顔」等の表現を目的とした色の組み合わせであり、肌色、赤色、黒色の3色で表現することにし
部分画像（８）は主に「左側の人物の服」等の表現を目的とした色の組み合わせであり、黄色、赤色、黒色の3色で表現することにし
部分画像（９）は主に「右側の人物の服」等の表現を目的とした色の組み合わせであり、赤色、青色、黒色の3色で表現することにし
【００３５】
次に、
画像出力ＣＭＳを用い、図8で示した部分画像（７）、（８）、（９）に基づいた色変換テーブルｃ（プロファイル）を作成する
部分画像（７）用には肌色、赤色、黒色の3色からなる色変換テーブルｃ−１（プロファイル）を作成し、部分画像（８）用には黄色、赤色、黒色の3色からなる色変換テーブルｃ−２（プロファイル）を作成し、部分画像（９）用には赤色、青色、黒色の3色からなる色変換テーブルｃ−３（プロファイル）を作成する
【００３６】
次に、色変換テーブルｃ−１、ｃ−２、ｃ−３を使って、前記画像表示系ＣＭＳにて色調整したＲＧＢ画像から特色分解画像を作成した
【００３７】
次に、印刷色版用編集部の画像編集ＣＧＳ（コンピュータグラフィックスシステム）にて前記各特色分解画像を各部分画像の形状に切り抜くためのマスクフィルタを作成する
【００３８】
次に、印刷色版用編集部の画像編集ＣＧＳにて図９で得た各特色分解画像（１０−１）、（１０−２）、（１０−３）、（１１−１）、（１１−２）、（１１−３）、（１２−１）、（１２−２）、（１２−３）を
個々にマスクフィルタで部分画像を切り抜く
黄色用切り抜き画像（１８）、赤色用切り抜き画像（１９）、（２０）、（２１）、青色用切り抜き画像（２２）、黒色用切り抜き画像（２３）、（２４）、（２５）を得ることができる。更に画像合成によって、肌色用画像（２６）、黄色用画像（２７）、赤色用画像（２８）、青色用画像（２９）、黒色用画像（３０）を得、カラー画像（３１）を作成する
【００３９】本実施例では印刷色が５色でありながらも図８に示す各部分画像（７）、（８）、（９）が３色までしか用いないので、画像全体においても３色までの刷り重ね部分のみで４色以上の印刷個所はどこにも存在しない。従って画像全体の鮮鋭度は、４色で行われるプロセス印刷よりも高くすることができる。また、本実施例では部分画像に用いる印刷色数を３色にしているが、原稿が有する色彩を表現できるのならば２色でも構わない。」
　
（６）上記（１）ないし（５）からみて、引用例には、
 　
 「有価証券、美術印刷、印刷色の限定された衣料等の図柄（模様）において、画像が鮮鋭で安定性が高く、発色の良い多色印刷用のカラー画像の作製方法に関し、 
　従来、カラー画像を効率よく再現する手法としてのカラーマネジメント・システム（以下「ＣＭＳ」という。）をプロセス印刷に適用して、印刷機、汎用カラープリンター等、様々な出力機器において、プロセス印刷の原色であるＣＭＹＫ（イエロー、マゼンタ、シアン、ブラック）色用画像に対し、各出力機器に適した色補正を行っているが、プロセス印刷はＣＭＹＫ色を用いることで、ＣＭＹＫ色が発色できる色表現領域を越えることができないため、ＣＭＳでは色版用画像データに色空間圧縮（gamut mapping）を施すことによって、ＣＭＹＫ色の色表現領域外の色は色空間圧縮によってＣＭＹＫ色で表現し得る近似色として表現しており、プロセス印刷で表現し得る色があくまでも近似色なので、印刷及び製品従事者もしくはデザイナーが意図していない色で表現されるといった問題点があり、 
　この問題点を解決する方法として、シアン、マゼンタ、イエロー、ブラックの他、レッド（Ｒ）、グリーン（Ｇ）、ブルー（Ｂ）といったＣＭＹＫ色の中間色による高彩度色インキを用いて印刷することで、ＣＭＹＫ色では得ることができない彩度の高い印刷物が作製可能な７色印刷（HiFi color）及びシアン、マゼンタ、イエロー、ブラック、の他、オレンジ（Ｒ）、グリーン（Ｇ）を使った６色印刷が公知であるが、これらの方法では、原色（基本色）が定められており、各々の方法について原色以外の印刷色を用いることはできず、画像の鮮鋭度が印刷色版の刷り合わせ精度に依存し、印刷色が多くなるにつれ全印刷色版の刷り合わせ位置がずれる要因が増え、高い位置精度を持って合成することが困難になり、刷り重ねるにつれ鮮鋭度が劣化する確率が高くなるという欠点があり、 
　この欠点については、原色以外の固有の色（specific color）である特色を、原稿の色調に応じて使用することによって、印刷物上における合成印刷色数を抑えて、前記した鮮鋭度が劣化する欠点を防止することが可能になるが、鮮鋭度の維持において前記プロセス印刷と差別化を図るには、使用する印刷色は少なくとも３色が限度であり、特色を用いた場合、前記プロセス印刷を含め７色印刷及び６色印刷のような原色印刷と比べ、特色からなる固有の色を表現するのには優れているものの、色表現領域は狭く、色表現領域を拡大するためには特色の印刷色版を増やさざるを得ないという欠点があったので、 
　印刷色に特色を含む多色印刷物において色表現領域が広く、且つ鮮鋭度の高いカラー画像の作成方法及びその印刷物を提供することを目的として、
　光学式画像入力装置（ドラム・スキャナ、フラットベット・スキャナ等）の個体ごとに色再現特性を予め計測し、計測した濃度値（gray level）と規定の濃度値（gray level）との誤差を補正する色変換テーブルａ（プロファイル）を作成することによって、光学式画像入力装置で撮り込んだ画像の色再現用の濃度値（gray level）が、規定の濃度値（gray level）になるように前記色変換テーブルを用いて、カラー画像を調整する機能を奏する画像入力系ＣＭＳと、 
　ＣＲＴモニターディスプレイにおいて個体ごとに色再現特性を予め計測し、計測した色表値と適正な色表値との誤差を補正する色変換テーブルｂ（プロファイル）を作成することによって、 ＣＲＴモニターディスプレイで表示したカラー画像が、適正な色表値（例えば照明光が色温度５０００Ｋ℃で観察したときに得られる色表値）になるように前記色変換テーブルを用いて、表示を調整する機能を奏する画像表示系ＣＭＳと、 
　印刷物、プリンタ、プルーファ等各種特色を含む印刷色の出力物の個体ごとに色再現特性を予め計測し、計測した出力濃度（網点面積率、濃度値）と実際のカラー画像が有する出力濃度（網点面積率、濃度値）との誤差を補正する色変換テーブルｃ（プロファイル）を作成することによって、前記出力物で表現する出力濃度（網点面積率、濃度値）が、前記出力物の個体ごとに適した出力濃度（網点面積率、濃度値）になるように前記色変換テーブルを用いて、カラー画像を調整する機能を奏する画像出力系ＣＭＳと、
　前記画像入力系ＣＭＳ、画像表示系ＣＭＳ、画像出力系ＣＭＳのＣＭＳで得たカラー画像を任意の印刷色数に従って、部分画像を切り抜き合成し、任意の印刷色数に適する色版用画像を作成する機能を奏する印刷色版用編集部とを、備え、
　通常のカラー印刷では、原稿１をシアン色、マゼンタ色、イエロー色、ブラック色（以下ＣＭＹＫと称す）の４色に色分解するのが一般的であるが、肌色、黄色、赤色、青色、黒色の５色の特色で色分解することとし、
　先ず、前記画像入力系ＣＭＳで得た色変換テーブルａ（プロファイル）で、入力条件の最適化を図りつつ、原稿１をフラットベット・スキャナ２で入力し、 
 　次に、前記画像表示系ＣＭＳで得た色変換テーブルｂ（プロファイル）で、表示を最適化したＣＲＴモニター４によって前記入力した原稿１の色表示画像５を得、前記原稿１を参照しながら目視で色調整してＲＧＢ画像を作成し、 
 　次に、前記原稿１の特色用分解画像を作成する前に、前記原稿１の中に使用する色の組み合わせを予め決定し、例えば前記原稿１の部分画像７は主に『顔』等の表現を目的とした色の組み合わせであり、肌色、赤色、黒色の３色で表現することにし、前記原稿１の部分画像８は主に『左側の人物の服』等の表現を目的とした色の組み合わせであり、黄色、赤色、黒色の３色で表現することにし、前記原稿１の部分画像９は主に『右側の人物の服』等の表現を目的とした色の組み合わせであり、赤色、青色、黒色の３色で表現することにし、前記画像出力ＣＭＳを用いて前記部分画像７用には肌色、赤色、黒色の３色からなる色変換テーブルｃ−１（プロファイル）を作成し、前記部分画像８用には黄色、赤色、黒色の３色からなる色変換テーブルｃ−２（プロファイル）を作成し、前記部分画像９用には赤色、青色、黒色の３色からなる色変換テーブルｃ−３（プロファイル）を作成し、
 　次に、前記色変換テーブルｃ−１、ｃ−２、ｃ−３を使って、前記画像表示系ＣＭＳにて色調整した前記ＲＧＢ画像から特色分解画像を作成し、
　次に、印刷色版用編集部の画像編集ＣＧＳ（コンピュータグラフィックスシステム）にて前記各特色分解画像を各部分画像の形状に切り抜くためのマスクフィルタを作成し、
　次に、前記各特色分解画像を個々にマスクフィルタで部分画像を切り抜き、黄色用切り抜き画像、赤色用切り抜き画像、青色用切り抜き画像、黒色用切り抜き画像を得、
　更に画像合成によって、肌色用画像、黄色用画像、赤色用画像、青色用画像、黒色用画像を得るようにした、
　多色印刷用のカラー画像の作成方法及びその印刷物を提供する方法。」（以下「引用発明」という。）が記載されているものと認められる。
　
３　対比
 　本願発明と引用発明とを対比する。 
 （１）引用発明の「ＲＧＢ画像」、「インキ」、「色変換テーブルｃ−１（プロファイル）、ｃ−２（プロファイル）、ｃ−３（プロファイル）」、「網点」、「印刷」及び「多色印刷」は、それぞれ、本願発明の「複数の画素を有するデジタル画像」、「インク」、「インクセットプロファイル」、「ドット」、「印刷」及び「カラー印刷」に相当する。 
 　 
 （２）引用発明の「多色印刷用のカラー画像の印刷物を提供する方法」は、印刷物の対象として「印刷色の限定された衣料」を含むものであり、「多色印刷用のカラー画像」が印刷された「衣料」を提供する方法は、「衣料」の布地に多色印刷用のカラー画像を印刷するものであり、「布にカラー印刷するための方法」といえるから、引用発明の「多色印刷用のカラー画像の印刷物を提供する方法」と本願発明の「布にカラー印刷するための方法」とは、「布にカラー印刷するための方法」である点で一致するといえる。 
 　 
 （３）引用発明の「布にカラー印刷するための方法（多色印刷用のカラー画像の印刷物を提供する方法）」は、前記画像表示系ＣＭＳで得た色変換テーブルｂ（プロファイル）で、表示を最適化したＣＲＴモニター４によって前記入力した原稿１の色表示画像５を得、前記原稿１を参照しながら目視で色調整して「複数の画素を有するデジタル画像（ＲＧＢ画像）」を作成するものであるから、本願発明の「布にカラー印刷するための方法」と、「複数の画素を有するデジタル画像を提供する工程」を含む点で一致するといえる。 
 　 
 （４）引用発明の「布にカラー印刷するための方法（多色印刷用のカラー画像の印刷物を提供する方法）」は、原稿１を肌色、黄色、赤色、青色、黒色の５色の特色で色分解することとしており、原色以外の固有の色（specific color）である特色は、原稿の色調に応じて使用するものであるから、前記特色は印刷を行う者、すなわちユーザにより選択されるものであることが当業者に自明である。また、引用発明における特色は、「印刷」のための「インク（インキ）」に対応するものであるといえる。
 　したがって、引用発明の「布にカラー印刷するための方法」と本願発明の「布にカラー印刷するための方法」とは、「前記デジタル画像に対応付けられた複数のインクを選択して、ユーザ定義インクセットを作る工程」を含む点で一致するといえる。 
 　 
 （５）引用発明の「インクセットプロファイル（色変換テーブルｃ−１（プロファイル）、ｃ−２（プロファイル）、ｃ−３（プロファイル））」は、画像出力系ＣＭＳにより、印刷物、プリンタ、プルーファ等各種特色を含む印刷色の出力物の個体ごとに色再現特性を予め計測し、計測した出力濃度（網点面積率、濃度値）と実際のカラー画像が有する出力濃度（網点面積率、濃度値）との誤差を補正するものとなるように作成されるものであるから、引用発明において「インクセットプロファイル」を作成することは、本願発明の「前記ユーザ定義インクセットに対してユーザ定義較正からインクセットプロファイルを作成する」ことに相当するといえ、引用発明の「布にカラー印刷するための方法（多色印刷用のカラー画像の印刷物を提供する方法）」と本願発明の「布にカラー印刷するための方法」とは、「前記ユーザ定義インクセットに対してユーザ定義較正からインクセットプロファイルを作成する工程」を含む点で一致するといえる。 
 　 
 （６）引用発明の「インクセットプロファイル（色変換テーブルｃ−１（プロファイル）、ｃ−２（プロファイル）、ｃ−３（プロファイル））」は、印刷物、プリンタ、プルーファ等各種特色を含む印刷色の出力物で表現する出力濃度（網点面積率、濃度値）が、前記出力物の個体ごとに適した出力濃度（網点面積率、濃度値）になるようにカラー画像を調整するためのものであり、かつ、「複数の画素を有するデジタル画像（ＲＧＢ画像）」から肌色、黄色、赤色、青色、黒色の５色の特色で色分解した特色分解画像を作成し、肌色用画像、黄色用画像、赤色用画像、青色用画像、黒色用画像を得るものであり、これら各色用画像は、「複数の画素を有するデジタル画像」の各画素の色度及び濃淡値を含むものであるといえるから、引用発明の「インクセットプロファイル」は、CIE lab、CIE xyz、CIE luv、CIE xyY、CIE uvY、またはCMYK色空間変換なしで、前記複数の画素の各々の色度および濃淡値を決めるものであるといえ、引用発明の前記色度および濃淡値が印刷の際のインク量を求めるために使用されること及び該インク量が「ドット（網点）」として印刷されるインクの量であることは当業者に自明である。
 　したがって、引用発明の「布にカラー印刷するための方法（多色印刷用のカラー画像の印刷物を提供する方法）」と本願発明の「布にカラー印刷するための方法」とは、「CIE lab、CIE xyz、CIE luv、CIE xyY、CIE uvY、またはCMYK色空間変換なしで、前記複数の画素の各々の色度および濃淡値を決める工程と、前記インクセットプロファイルの関数として前記色度および濃淡値に対応するインク量を求める工程と、前記インクの選択量を、ドットとして布に印刷する工程とを含む」点で一致するといえる。 
 　 
 （７）上記（１）ないし（６）より、本願発明と引用発明とは、 
「複数の画素を有するデジタル画像を提供する工程と、 
 　前記デジタル画像に対応付けられた複数のインクを選択して、ユーザ定義インクセットを作る工程と、 
 　前記ユーザ定義インクセットに対してユーザ定義較正からインクセットプロファイルを作成する工程と、 
 　CIE lab、CIE xyz、CIE luv、CIE xyY、CIE uvY、またはCMYK色空間変換なしで、前記複数の画素の各々の色度および濃淡値を決める工程と、 
 　前記インクセットプロファイルの関数として前記色度および濃淡値に対応するインク量を求める工程と、 
 　前記インクの選択量を、ドットとして布に印刷する工程とを含む、布にカラー印刷するための方法。」の点で一致し、次の点で相違する。
　
相違点：
　前記ユーザ定義較正が、本願発明では、その少なくとも１つは、「クベルカ-ムンク方程式の関数」であるのに対し、
　引用発明では、クベルカ-ムンク方程式の関数を用いているかどうかは不明である点。
　
４　判断
　上記相違点について検討する。
（１）各色インクで印刷したものを測定し、吸収散乱係数比の方程式であるクベルカ−ムンク（Kubelka-Munk）の方程式を用いてインクセットの色再現のための基礎データを作成することは、本願の優先日前に周知である（以下「周知技術」という。例．特公平６−２６９０６号（特に、第１２欄第２３行〜第１３欄第１３行、図３参照）、特開２００１−１６４１５５号公報（特に、【００２０】〜【００２３】、【００２６】及び【００２７】参照。）、特開平５−１７６１６６号公報（特に、【００２６】〜【００３９】、図４参照。）。
　
（２）引用発明の「インクセットプロファイル（色変換テーブルｃ−１（プロファイル）、ｃ−２（プロファイル）、ｃ−３（プロファイル））」は、印刷物、プリンタ、プルーファ等各種特色を含む印刷色の出力物の個体ごとに色再現特性を予め計測し、作成されるものであるところ、引用発明において、印刷物、プリンタ、プルーファ等各種特色を含む印刷色の出力物の個体ごとに色再現特性を予め計測してクベルカ−ムンク（Kubelka-Munk）の方程式を用い、「インクセットプロファイル（色変換テーブルｃ−１（プロファイル）、ｃ−２（プロファイル）、ｃ−３（プロファイル））」を作成すること、すなわち、引用発明において、上記相違点に係る本願発明の構成となすことは、当業者が周知技術に基づいて適宜なし得た程度のことである。
　
（３）また、ＲＧＢ信号からなるデジタル画像の各画素におけるＲＧＢ値から、CIE lab、CIE xyz、CIE luv、CIE xyY、CIE uvY、またはCMYK色空間変換なしで、例えばマンセル色空間における色度（色相値および彩度値）および明度値を計算し、該色度および明度値に対応する各色のインク量を計算することは、本願の優先日前に周知（例．特開平３−１２１６６９号公報（特に、ＲＧＢからＨＶＣへの変換、ＨＶＣからＣＭＹＫへの変換に関する記載参照。）、特開平５−２９２３０３号公報（特に、【０００７】のマッピング回路によるＲＧＢ−ＶＨＣ変換、ＶＨＣからＹ，Ｍ，Ｃへのマッピングに関する記載参照。）、特開平６−３３３０３９号公報（特に、【００６６】〜【００８０】、図１０参照。））であるから、仮に、上記３（６）において、引用発明の「布にカラー印刷するための方法（多色印刷用のカラー画像の印刷物を提供する方法）」と本願発明の「布にカラー印刷するための方法」とが、「CIE lab、CIE xyz、CIE luv、CIE xyY、CIE uvY、またはCMYK色空間変換なしで、前記複数の画素の各々の色度および濃淡値を決める工程と、前記インクセットプロファイルの関数として前記色度および濃淡値に対応するインク量を求める工程と、前記インクの選択量を、ドットとして布に印刷する工程とを含む」点で一致するといえないとしても、この点は、当業者が該周知技術に基づいて適宜なし得た程度のことである。
　
（４）効果について
　本願発明の奏する効果は、引用発明の奏する効果、周知技術の奏する効果の奏する効果から当業者が予測できた程度のものである。
　
（５）まとめ
　したがって、本願発明は、当業者が引用例に記載された発明、周知技術に基づいて容易に発明をすることができたものである。
　
５　むすび
　本願発明は、上記のとおり、当業者が引用例に記載された発明、周知技術に基づいて容易に発明をすることができたものであるから、特許法第２９条第２項の規定により特許を受けることができない。
　よって、結論のとおり審決する。